(57)【要約】【課題】古紙を整然と収容することができるとともに、収容した古紙の縛り作業が容易かつ迅速に行えるようにする。【解決手段】左右板（３，４）、前後板（５，６）、及び底板（７）により前後方向に長い箱主体（２）を設け、倒立門形の仕切板（１０）により前記箱主体（２）内を前後に分割するとともに、後部室（１５）は古紙（２５）が収容できる大容積に、前部室（１６）は紐（２６）、鋏等の補助用品が収容できる小容積にし、後部室（１５）の前後方向中間部に対応する左右板（３，４）の上部、及び前記後板（６）上部の左右中間部に紐（２６）が掛け外しできる側部係止部（１７，１８）及び後部係止部（２１）を設け、箱主体（２）の少なくとも一方の後部角部の上部に紐（２６）が掛け外しできる角部係止部（２０）を設ける。【選択図】　　　　図２
2004042976.tif 000002
【特許請求の範囲】
【請求項１】
左右板（３，４）、前後板（５，６）、及び底板（７）により前後方向に長い箱主体（２）を設け、小幅な下部壁（１１）の両側に小幅な起立壁（１２）を有する倒立門形の仕切板（１０）を設け、該仕切板（１０）により前記箱主体（２）内を前後に分割するとともに、後部室（１５）は古紙（２５）が収容できる大容積に、前部室（１６）は紐（２６）、鋏等の補助用品が収容できる小容積にし、前記後部室（１５）の前後方向中間部に対応する左右板（３，４）の上部、及び前記後板（６）上部の左右中間部に紐（２６）が掛け外しできる側部係止部（１７，１８）及び後部係止部（２１）を設け、前記箱主体（２）の少なくとも一方の後部角部の上部に紐（２６）が掛け外しできる角部係止部（２０）を設けたことを特徴とする古紙収容箱。
【請求項２】
仕切板（１０）の下部壁（１１）の左右中間部に紐（２６）を通過させる凹部（１３）を設けたことを特徴とする請求項１記載の古紙収容箱。
【請求項３】
箱主体（２）の前板（５）の上部に作業用の逃げ凹部（８）を設けたことを特徴とする請求項１又は２記載の古紙収容箱。
【発明の詳細な説明】
【０００１】
【発明の属する技術分野】
本発明は、講読の終了した新聞、チラシ、雑誌等の古紙を収容する古紙収容箱に関するものである。
【０００２】
【従来の技術】
従来の古紙収容箱は、単に古紙が収容できる大きさの直方体状の箱としたものであった。
【０００３】
【発明が解決しようとする課題】
上記従来のものは、箱内に収容した古紙を紐で縛る際に、紐及び鋏を所定の保管場所から取り出し、鋏で切断した２本の紐を箱の外側で十字形に交叉させ、この上に箱内の古紙を取り出して重ね置きした後、各紐を結ぶようにしていた。このため、従来は古紙の縛り作業に手数を要するとともに、縛るための余分な場所を必要とするものであった。本発明は、上記不具合を解消した新規な古紙収容箱を得ることを目的とする。
【０００４】
【課題を解決するための手段】
本発明は、上記目的を達成するために以下の如く構成したものである。即ち、請求項１に係る発明は、左右板、前後板、及び底板により前後方向に長い箱主体を設け、小幅な下部壁の両側に小幅な起立壁を有する倒立門形の仕切板を設け、該仕切板により前記箱主体内を前後に分割するとともに、後部室は古紙が収容できる大容積に、前部室は紐、鋏等の補助用品が収容できる小容積にし、前記後部室の前後方向中間部に対応する左右板の上部、及び該後部室の左右方向中間部に対応する後板の上部に紐が掛け外しできる側部係止部及び後部係止部を設け、前記箱主体の少なくとも一方の後部角部の上部に紐が掛け外しできる角部係止部を設ける構成にしたものである。
また、請求項２に係る発明は、上記仕切板の下部壁の左右中間部に紐を通過させる凹部を設けたものである。
また、請求項３に係る発明は、上記箱主体の前板の上部に作業用の逃げ凹部を設けたものである。
【０００５】
【発明の実施の形態】
以下本発明の実施例を図面に基いて説明する。図面において、図１は本発明の第１実施例を示す一部断面斜視図、図２は古紙の縛り状態を示す一部断面斜視図、図３は本発明の第２実施例を示す一部断面斜視図である。
【０００６】
図１において、１は古紙収容箱であり、左右板３，４、前後板５，６、及び底板７により前後方向に長い箱主体２を形成し、この箱主体２の内部を倒立門形の仕切板１０により大容積の後部室１５と小容積の前部室１６とに分割する。上記後部室１５は前後幅Ｌ１が約３０ｃｍ、左右幅Ｗ１及び高さＨ１が約２３ｃｍとなる容積とし、４つ折りにした新聞紙、Ａ４版の雑誌あるいはチラシ等の古紙２５が収容できるようにする。また、上記前部室１６は前後幅Ｌ２が約１４ｃｍ、左右幅Ｗ１及び高さＨ１が約２３ｃｍとなる容積とし、環状に巻いた市販の紐（テープ）２６、鋏、カッター等の補助用品が収容できるようにする。
【０００７】
上記後部室１５の前後方向中間部に対応する左右板３，４の上部内面に左右一対の側部係止具（側部係止部）１７、１８を取付け、該後部室１５の後部角部に対応する左右板３，４後部の上部内面に左右一対の角部係止具（角部係止部）１９、２０を取付け、さらに後板６上部の左右中心部の内面に後部係止具（後部係止部）２１を取り付ける。上記各係止具１７〜２１は、プラスチック材により、共に上面が開口したＶ形に形成され、紐２６が上方から掛け外しできるようになっている。
【０００８】
前述した仕切壁１０は、上下幅が約３ｃｍとなる小幅な下部壁１１の左右両側に左右幅が約３ｃｍとなる小幅な起立壁１２，１２を一体に有する倒立門形とし、下部壁１１の左右方向中心部の上部に紐２６が通過するＶ形の凹部１３を形成してなり、これにより、後部室１５に収容した古紙２５が不用意に前部室１６方向に移動するのを阻止するとともに、紐２６で古紙２５を縛る際の作業空間を確保するようにする。
【０００９】
また、箱主体２の前板５の上部に深さ３ｃｍ〜５ｃｍ、幅１７ｃｍ〜２０ｃｍとなる凹部８を形成し、前述と同様に、紐２６で古紙２５を縛る際の作業空間を確保するようにする。
【００１０】
次に、上記第１実施例の使用態様について説明する。まず、図１の仮想線で示すように、紐２６の先端部２６ａを左部の側部係止具１７に掛け、その基部側を後部室１５の内面に沿って横断させた後、右部の側部係止具１８に掛け、次いで紐２６の中間部２６ｂを右板４、及び後板６の上部内面に沿わせ、その途中を右の角部係止具２０、後部係止具２１に順次掛け、次いで後部室１５の内面に沿って縦断させた後、紐２６の基部２６ｃを仕切板１０の下部壁１１の凹部１３を介して前部室１６方向に延出させ、該紐２６の余り部（巻き部）を前部室１６に収容する。また、該前部室１６に切断用の鋏、カッター、あるいは名札等の補助用品（図示省略）を収容しておく。
【００１１】
なお、左利きの人は、紐２６の先端部２６ａを右部の側部係止具１８に掛け、その基部側を後部室１５の内面に沿って横断させた後、左部の側部係止具１７に掛け、次いで紐２６の中間部２６ｂを左板３、及び後板６の上部内面に沿わせ、その途中を左の角部係止具１９、後部係止具２１に掛け、その後は前述と同様にする。
【００１２】
この状態で講読の終了した新聞、チラシ、雑誌等の古紙２５を順次後部室１５に積み重ねて収容する。そして、上記後部室１５に所定量の古紙２５が収容されたら、図２に示すように、紐２６の中間部２６ｂを右の角部係止具２０、及び後部係止具２１から離脱させるとともに、この部を上記古紙２５の上面に向けて反転させ、次いで紐２６の先端部２６ａを左部の側部係止具１７から離脱させて上記中間部２６ｂの中心部にくぐらせて前方に延出させ、該先端部２６ａと紐２６の基部２６ｃとを引張りながら結び、基部２６ｃの余り側を前部室１６に収容している鋏あるいはカッターにより切断する。また、必要により、古紙２５を縛った紐２６に名札を付ける。
【００１３】
図３は第２実施例を示す。このものは、前述した各係止具１７〜２１を省略し、代わりにこれらの部位に係止溝１７ａ〜２１ａを形成したものである。即ち、後部室１５の前後方向中間部に対応する左右板３，４の上縁部に左右一対のＶ形の側部係止溝（側部係止部）１７ａ、１８ａを形成し、該後部室１５の後部角部に対応する箱主体２の左右の角部上縁部にＵ形の角部係止溝（角部係止部）１９ａ、２０ａを形成し、さらに後板６上部の左右中心部にＶ形の後部係止溝（後部係止部）２１ａを形成したものである。その他は前述した第１実施例と略同様となっている。なお、上記各係止溝１７ａ〜２１ａはＵ形あるいは角形としてもよい。
【００１４】
上記第２実施例の場合は、以下の如くして紐２６を取り付ける。即ち、紐２６の先端部２６ａを左部の側部係止溝１７ａに掛け、その基部側を後部室１５の内面に沿って横断させた後、右部の側部係止溝１８ａに掛け、次いで紐２６の中間部２６ｂを右板４、及び後板６の上部外面に沿わせ、その途中を右の角部係止溝２０ａ、後部係止溝２１ａに順次掛け、次いで後部室１５の内面に沿って縦断させた後、紐２６の基部２６ｃを仕切板１０の下部壁１１の凹部１３を介して前部室１６方向に延出させ、その余り部（巻き部）を前部室１６に収容する。
【００１５】
上記第２実施例によれば、紐２６の各係止部が箱主体２を切削加工するのみで形成されることになり、安価になるとともに、後部室１５内に突起物がなくなって古紙２５の収容、離脱が容易となる。
【００１６】
【発明の効果】
以上の説明から明らかな如く、請求項１に係る発明は、箱主体を倒立門形の仕切板によって古紙が収容できる大容積の後部室と、紐、鋏等の補助用品が収容できる小容積の前部室とに分割し、後部室の左右の上部、後部の上部、及び少なくとも一方の後部角部の上部にそれぞれ紐が掛け外しできる係止部を設けるようにしたので、古紙を整然と収容することができるとともに、古紙を縛る紐、鋏等の補助用品の取り出し、保管が容易となり、収容した古紙の紐による縛り作業が大きな作業空間を要することなく、迅速に行えることになる。
また、請求項２に係る発明は、上記仕切板の下部壁の左右中間部に紐を通過させる凹部を設けたので、紐の基部側が所定位置に位置決めされることになる。
また、請求項３に係る発明は、上記箱主体の前壁の上部に作業用の逃げ凹部を設けたので、上記縛り作業がより容易に行えることになる。
【図面の簡単な説明】
【図１】本発明の第１実施例を示す一部断面斜視図である。
【図２】古紙の縛り状態を示す一部断面斜視図である。
【図３】本発明の第２実施例を示す一部断面斜視図である。
【符号の説明】
１　　古紙収容箱
２　　箱主体
３　　左板
４　　右板
５　　前板
６　　後板
７　　底板
８　　凹部
１０　　仕切板
１１　　下部壁
１２　　起立壁
１５　　後部室
１６　　前部室
１７，１８　　側部係止具（側部係止部）
１９，２０　　角部係止具（角部係止部）
２１　　　　　後部係止具（後部係止部）
１７ａ，１８ａ　　側部係止溝（側部係止部）
１９ａ，２０ａ　　角部係止溝（角部係止部）
２１ａ　　　　後部係止溝（後部係止部）
２５　　古紙
２６　　紐
２６ａ　先端部
２６ｂ　中間部
２６ｃ　基部
【図１】
2004042976.tif 000003
【図２】
2004042976.tif 000004
【図３】
2004042976.tif 000005